(57)【特許請求の範囲】
【請求項１】
壁面の上方位置に取り付けられる外筐体と、この外筐体に内蔵される収納庫とを備え、この収納庫が、外筐体内に設けられている垂直自動昇降機構で上下動自在に形成されている昇降式アッパーキャビネットであって、上記の垂直自動昇降機構が上下動する昇降ベース部を備え、この昇降ベース部に上記の収納庫が下降位置において外筐体から食み出る状態で、且つ壁面の角部の側壁と反対する方向にスライド自在に設けられ、また収納庫の昇降動作中はスライド動作を禁止し、下降位置に配置されるとスライド動作を可能にするためのロック機構を備えて形成されていることを特徴とする昇降式アッパーキャビネット。
【請求項２】
請求項1記載の昇降式アッパーキャビネットであって、ロック機構が、昇降ベース部に基端が枢着されると共に引っ張りバネにより先端が下方に牽引されているロック部材と、このロック部材の垂れ下げ片の下端に係止して収納庫のスライドを防止するため収納庫の端部に固定されている凸部と、収納庫が下降位置に配置されると収納庫のスライド動作を可能にさせるため外筐体の側板の内面下部に設けられているロック解除用ブロックとを備えて形成されていることを特徴とする昇降式アッパーキャビネット。
【請求項３】
請求項1又は２記載の昇降式アッパーキャビネットであって、収納庫が壁面の角部の側壁と反対する方向にスライド自在に設けられているのに代え、角部から室内側に向けて斜め方向にスライド自在に設けられていることを特徴とする昇降式アッパーキャビネット。
【請求項４】
請求項１乃至３の何れかに記載の昇降式アッパーキャビネットであって、収納庫のスライド復帰状態を検出する検出器を備え、この検出器が入ることを条件に収納庫が上昇自在に形成されていることを特徴とする昇降式アッパーキャビネット。
【請求項５】
請求項1乃至４の何れかに記載の昇降式アッパーキャビネットであって、収納庫の下面で、且つ引き出し方向側の端部に、スライド操作用のハンドルが設けられていることを特徴とする昇降式アッパーキャビネット。
【請求項６】
請求項１乃至５の何れかに記載の昇降式アッパーキャビネットであって、昇降ベース部と収納庫とに復元力で作動するアクチュエーターが横方向に架け渡され、このアクチュエーターの復元力で収納庫がスライド自在に形成されていることを特徴とする昇降式アッパーキャビネット。
【発明の詳細な説明】
【０００１】
【発明の属する技術分野】
本発明は、台所や洗面室の上方の壁面に取り付けて使用する昇降式アッパーキャビネットに関し、更に詳しくは収納庫が電動で垂直方向に昇降する昇降式アッパーキャビネットに関するものである。
【０００２】
【従来の技術】
従来この種のキャビネットとしては、壁面の上方位置に取り付けられる外筐体と、この外筐体に内蔵される収納庫とを備え、この収納庫が外筐体内に設けられている垂直自動昇降機構で上下動自在に形成されているものがある。
【０００３】
又従来、例えば収納棚を上下動させると共に、縦軸を中心にこの収納棚を回動可能に形成したものが知られている（例えば実開平４−１１２６４１号公報、実公平４−２７３８４号公報参照）。
【０００４】
【発明が解決しようとする課題】
ところで台所のコーナーにＬ字形の厨房台を配置し、この厨房台の上方の壁コーナー位置に、収納庫が垂直昇降する形式のアッパーキャビネットを取り付けると、厨房台が支障となって収納庫にユーザーが正対できず、その結果品物を出し入れし難くなる。従ってこの種のキャビネットは、例えばＬ字形の厨房台が台所のコーナーに配置される場合であっても、品物の出し入れを、容易に且つ楽にできるよう形成されているのが望ましい。
【０００５】
しかるに従来品は、上記の通り、収納庫が垂直自動昇降機構によって上下動自在に形成されているだけであったから、コーナーにＬ字形の厨房台が配置されている場合は、品物の出し入れがし難くなり、その結果従来品は壁面のコーナー位置を避けて取り付ける必要があり、取付位置に制約を伴う、という問題点があった。
【０００６】
而してこの場合、例えば収納庫を降ろした後、縦軸を中心に収納庫を回動可能に形成するのでは、縦軸の周りで収納庫の向きを変換できるのに過ぎず、従って品物の出し入れの不便さを解消し切れない場合がある。又縦軸を中心に収納庫を回動可能に形成するのでは、収納庫の横寸法が半径となって旋回するため、ユーザーが後退りする必要があり、又収納品の荷重を縦軸の枢着部で支承するため、重いものを収納できず、枢着部が故障し易い、という問題が生じる。
【０００７】
本発明は、このような従来品の問題に鑑み、提案されたものである。
【０００８】
従って本発明の技術的課題は、収納庫を垂直方向に昇降させる昇降式アッパーキャビネットにおいて、Ｌ字形の厨房台が配置されているコーナーの壁面位置であっても、収納庫に正対した状態で品物の出し入れを容易に且つ楽にできるよう形成した昇降式アッパーキャビネットを提供することにある。
【０００９】
【課題を解決するための手段】
本発明は、上記の課題を解決するために、次のような技術的手段を採る。
【００１０】
即ち本発明は、図１等に示されるように、壁面１の上方位置に取り付けられる外筐体２と、この外筐体２に内蔵される収納庫３とを備え、この収納庫３が、外筐体２内に設けられている垂直自動昇降機構４で上下動自在に形成されている昇降式アッパーキャビネットであって、上記の垂直自動昇降機構４が上下動する昇降ベース部４ｄを備え、この昇降ベース部４ｄに上記の収納庫３が下降位置において外筐体２から食み出る状態で、且つ壁面１の角部９の側壁９ａと反対する方向にスライド自在に設けられ、また収納庫３の昇降動作中はスライド動作を禁止し、下降位置に配置されるとスライド動作を可能にするためのロック機構１５を備えて形成されていることを特徴とする（請求項１）。
【００１１】
ここで、外筐体２から食み出る状態で、とは、外筐体２の下面が占めるスペースの範囲を超えて収納庫３が外方に配置される、ということを意味する。収納庫３のスライド動作は、具体的には昇降ベース部４ｄに平行一対状の案内レール６が設けられ、この案内レール６に係合する係合部材１１が収納庫３の天面に設けられ、案内レール６に係合部材１１が係合すると共に、脱落しないよう吊下げられることにより達成される。
又本発明の場合、ロック機構１５は、具体的には、図１、図２等に示されるように、昇降ベース部４ｄに基端１５ａ1が枢着されると共に引っ張りバネ１５ｄにより先端１５ａ3が下方に牽引されているロック部材１５ａと、このロック部材１５ａの垂れ下げ片１５ａ2の下端に係止して収納庫３のスライドを防止するため収納庫３の端部に固定されている凸部１５ｂと、収納庫３が下降位置に配置されると収納庫３のスライド動作を可能にさせるため外筐体２の側板の内面下部に設けられているロック解除用ブロック１５ｃとを備えて形成される（請求項２）。
【００１２】
又本発明は、収納庫３が壁面１の角部９の側壁９ａと反対する方向にスライド自在に設けられているのに代え、図６等に示されるように、角部９から室内側に向けて斜め方向にスライド自在に設けられているのでも良い（請求項３）。
【００１３】
なぜならこの場合もユーザーは、収納庫３と正対でき、品物の出し入れを容易に且つ楽に行えるからである。
【００１４】
又本発明は、図１等に示されるように、収納庫３のスライド復帰状態を検出する検出器１３を備え、この検出器１３が入ることを条件に収納庫３が上昇自在に形成されているのが好ましい（請求項４）。
【００１５】
なぜならこれによると、引き出した位置で収納庫３を上昇させることを防止でき、外筐体２と同じ垂直線上の位置で確実に収納庫３を上下動させることができるからである。
【００１６】
又本発明は、収納庫３の下面で、且つ引き出し方向側の端部に、スライド操作用のハンドル１６が設けられているのが好ましい（請求項５）。
【００１７】
なぜならこれによると、収納庫３の引き出し、押し戻し操作を、手を遠くに伸ばすことなく楽にできるからである。
【００１８】
又本発明は、図１０等に示されるように、昇降ベース部４ｄと収納庫３とに復元力で作動するアクチュエーター１９が横方向に架け渡され、このアクチュエーター１９の復元力で収納庫３がスライド自在に形成されているのが好ましい（請求項６）。
【００１９】
なぜならこの場合は、収納庫３をアクチュエーター１９の作用で自動的に引き出すことができ、引き出し操作の手間暇を一掃できるからである。又この場合は、モータ等を使用する場合に比べ構造を簡単化でき、安価に提供できるからである。ここで、復元力で作動するアクチュエーター１９とは、物体の弾性や変形によるエネルギーの蓄積などを利用し、直線方向に作動する機械要素や装置を意味する。このアクチュエーター１９としては、具体的にはコイルスプリング、コイルスプリングを内蔵し、その復元作用で例えばロッドが延伸するシリンダ装置、又ガスダンパー、オイルダンパー等がある。
【００２０】
【発明の実施の形態】
以下、本発明の好適な一実施形態を添付図面に従って説明する。
【００２１】
図１等において、１は例えば台所の壁面であり、２はこの壁面１の上方位置に取り付けられる外筐体である。３は、この外筐体２に内蔵される収納庫である。この収納庫３は、外筐体２内に設けられている垂直自動昇降機構４で上下動自在に形成されている。
【００２２】
上記の垂直自動昇降機構４は、この実施形態では外筐体２の上部の中央位置に設けられている可逆回転自在の電動機４ａと、この電動機４ａの駆動で左右均等に巻き取り巻き戻されるベルト等の牽引用部材４ｂと、上記の電動機４ａを制御するため外筐体２の上部に設けられている制御装置４ｃと、又牽引用部材４ｂが巻き取り巻き戻されることで上下動する昇降ベース部４ｄを備えて形成されている。
【００２３】
５は、外筐体２の天板に固定されている金属製の取付枠である。上記の電動機４ａや制御装置４ｃは、この取付枠５に設けられている。又６は外筐体２の両側板の内面中央位置に、縦に設けられている案内レールであり、７はこの案内レール６に係合して上下動する動作部材である。この動作部材７と、上記の昇降ベース部４ｄとは連結され、一体状に形成されている。又８は、この動作部材７に取り付けられている滑車である。上記の牽引用部材４ｂは、この滑車８に架け渡されると共に、端部４ｂ1が上方に返されて取付枠５に固定されている。本発明は、この牽引用部材４ｂが巻き取り巻き戻されることにより、昇降ベース部４ｄが動作部材７を介して案内レール６に沿って上下動し、この昇降ベース部４ｄに取り付けられている収納庫３が昇降するよう形成されている。
【００２４】
又収納庫３は、昇降ベース部４ｄに、下降位置において外筐体２から食み出る状態で、且つ壁面１の角部９の側壁９ａと反対する方向にスライド自在に設けられている。図４、図５において、１０は、例えばリップ溝形状の案内部材である。この案内部材１０は、昇降ベース部４ｄの下面に、左右方向に延びて平行一対状に設けられている。又１１は、この案内部材１０に係合して摺動する係合部材である。この係合部材１１は、この実施形態では断面Ｔ字形状に形成され、収納庫３の天面に左右方向に延びて平行一対状に設けられている。又１２は、この係合部材１１と上記案内部材１０との摺接面に生じる摩擦抵抗を軽減するためのベアリングである。収納庫３は、案内部材１０に係合部材１１が係合した状態で昇降ベース部４ｄに吊下げられ、スライドするよう形成されている。又この実施形態の場合、案内部材１０の側壁９ａ側の端部１０ａは閉じられ、この端部１０ａに係合部材１１の端が衝止することにより、収納庫３が側壁９ａと反対する方向にのみスライドするよう形成されている。
【００２５】
又１３は、収納庫３のスライド復帰状態を検出する検出器である。この検出器１３は、この実施形態ではリミットスイッチで構成され、昇降ベース部４ｄの端部に設けられている。又１４は、この検出器１３の動作片と接触するよう収納庫３の天面の適宜位置に設けられている突起部である。検出器１３は、収納庫３がスライド復帰して動作片が突起部１４で押されることによりオンになる。本発明の場合、この検出信号は制御装置４ｃに送られ、制御装置４ｃの駆動信号によって電動機４ａの運転が可能になるよう構成されている。検出器１３のオン状態は、この実施形態では収納庫３が外筐体２内に配置されている間、及び下降位置との間で上下動する間は維持される。
【００２６】
又１５は、収納庫３の昇降動作中はスライド動作を禁止し、下降位置に配置されるとスライド動作を可能にするためのロック機構である。本発明の場合は、このロック機構１５により昇降動作中はスライド動作が禁止されているので、使用者が過ってスライド動作をさせようと力を加えても、案内レール６等を破損させる惧れがない。而してこのロック機構１５は、昇降ベース部４ｄに基端１５ａ1が枢着されているロック部材１５ａと、このロック部材１５ａの垂れ下げ片１５ａ2の下端に係止して収納庫３のスライドを防止するための凸部１５ｂと、収納庫３が下降位置に配置されると収納庫３のスライド動作を可能にさせるロック解除用ブロック１５ｃとを備えて形成されている。凸部１５ｂは、収納庫３の端部に固定されている。又ロック解除用ブロック１５ｃは、外筐体２の側板の内面下部に設けられている。１５ｄは、引っ張りバネであり、この引っ張りバネ１５ｄによりロック部材１５ａの先端１５ａ3は下方に牽引され、垂れ下げ片１５ａ2の下端が凸部１５ｂに係止されている。
【００２７】
又１６は、スライド操作用のハンドルである。このハンドル１６は、収納庫３の下面で、且つ引き出し方向側の端部に設けられている。なお１７は、収納庫３の上限位置を検出する上限スイッチである。この上限スイッチ１７が入ると電動機４ａの駆動が停止し、収納庫３が外筐体２に格納される。又１８は、収納庫３の下限位置を検出する下限スイッチである。この下限スイッチ１８が入ると電動機４ａの駆動が停止し、収納庫３が下降位置に配置される。
【００２８】
次に本発明品の作用を説明する。
【００２９】
先ず電動機４ａが駆動し、牽引用部材４ｂを巻き戻すと、収納庫３は昇降ベース部４ｄと共に下降する。下降中は、ロック部材１５ａの垂れ下げ片１５ａ2の下端が凸部１５ｂに係止しているため、収納庫３のスライドが禁止される。次に収納庫３が下降位置に配置されると（図１の状態参照）、ロック部材１５ａの先端１５ａ3がロック解除用ブロック１５ｃに触れ、先端１５ａ3が上方に回動してロック状態が解除される。この結果、収納庫３のスライド動作が可能になる。従ってユーザーは、この状態でハンドル１６を介して収納庫３を引き出す。
【００３０】
そして品物を出し入れした後、ユーザーはハンドル１６を押して収納庫３をスライド復帰させる。すると検出器１３がオンになり、このオン信号が制御装置４ｃに送られて電動機４ａの駆動が可能になる。電動機４ａが駆動して牽引用部材４ｂが巻き取られると、昇降ベース部４ｄと一緒に収納庫３が上昇し、外筐体２に格納される。又収納庫３が上昇すると、ロック部材１５ａの先端１５ａ3がバネの牽引作用で下方に回動し、垂れ下げ片１５ａ2の下端が凸部１５ｂに係止し、収納庫３のスライドが禁止される。
【００３１】
以上の処において、本発明は、図６〜図９に示されるように、収納庫３が壁面１の角部９から室内側に向けて斜め方向にスライド自在に形成されているのでも良い。この実施形態の場合、上記の平行一対状の案内部材１０及び係合部材１１は、昇降ベース部４ｄの下面、及び収納庫３の天面に、夫々位置を合わせて平面視で斜め方向に設けられている。ロック機構１５のロック部材１５ａは、この実施形態では傾斜状に配置され、又ロック部材１５ａの垂れ下げ片１５ａ2に対応する昇降ベース部４ｄの箇所４ｄ1が切り欠かれている。収納庫３の天面に設けられている凸部１５ｂは、この箇所４ｄ1に臨まれ、垂れ下げ片１５ａ2の下端を係止させる。なおその他の構成は、上例と同様である。
【００３２】
この実施形態の本発明品は、このような構成に係るため、収納庫３が下降位置に配置された状態でユーザーがハンドル１６を引くと、収納庫３は斜め方向にスライドし、引き出される（図６、図８、図９の鎖線状態参照）。又ユーザーが品物を出し入れした後、ハンドル１６を介して収納庫３を押し戻すと、収納庫３は斜め方向に移動し、スライド復帰する。その他、収納庫３の昇降作用等は、上例と同様である。
【００３３】
又本発明は、図１０〜図１２に示されるように、昇降ベース部４ｄと収納庫３とに復元力で作動するアクチュエーター１９が横方向に架け渡され、このアクチュエーター１９の復元力で収納庫３がスライド自在に形成されているのでも良い。この実施形態の場合、アクチュエーター１９はコイルスプリングで構成され、その左端１９ａが昇降ベース部４ｄの天面の左側に固定され、右端１９ｂが収納庫３の天面の右側に固定され、収納庫３が外筐体２に格納されているときは引き伸ばされた状態で横架されている。そして収納庫３が下降位置に配置され、ロック解除用ブロック１５ｃによってロック部材１５ａのロック状態が解除されると、収納庫３はアクチュエーター１９としてのコイルスプリングの復元力で、図１２において左方向に牽引され、ユーザーが正対できる位置に配置されるものである。
【００３４】
又本発明の場合、上記の検出器１３は、図１０等に示されるように、機械的な仕組みで構成されるのでも良い。この実施形態の検出器１３は、下端にローラ１３ａを備え、胴部が昇降ベース部４ｄに枢着されている動作片１３ｂと、この動作片１３ｂの下端を内方に牽引するコイルバネ１３ｃと、収納庫３が下降位置に配置されたとき動作片１３ｂの上端を係止するブロック部材１３ｄとを備えて形成されている。動作片１３ｂはくの字形に形成され、コイルバネ１３ｃは動作片１３ｂの下端を内方に常時牽引している。又ブロック部材１３ｄは、外筐体２の側板の内面下部に固定されている。
【００３５】
而してこの本発明品の場合は、昇降ベース部４ｄが下降すると、動作片１３ｂの上端がブロック部材１３ｄの上面をなぞりながら下降する。そして収納庫３が下降位置に配置されると、コイルバネ１３ｃの作用で下端が内方に引かれるため、上端がブロック部材１３ｄの下面に係止する。又収納庫３がスライド復帰すると、収納庫３の天面の突起部１４（図１２参照）が、ローラ１３ａを押して動作片１３ｂの上端を半時計方向に回動させる。この結果動作片１３ｂの上端が、ブロック部材１３ｄの下面から外れてロック状態が解除され、収納庫３の上下動が可能になる。なおこの実施形態の場合、牽引用部材４ｂの端部４ｂ1は、昇降ベース部４ｄに取り付けられている滑車８を介して収納庫３の天面に固定されている。
【００３６】
【発明の効果】
以上説明したように本発明は、収納庫が垂直方向に昇降する昇降式アッパーキャビネットにおいて、垂直自動昇降機構が、上下動する昇降ベース部を備え、この昇降ベース部に収納庫を下降位置において外筐体から食み出る状態で、且つ壁面の角部の側壁と反対する方向にスライド自在に設け、また収納庫の昇降動作中はスライド動作を禁止し、下降位置に配置されるとスライド動作を可能にするためのロック機構を備えて形成されているものである。
【００３７】
従って本発明の場合は、Ｌ字形の厨房台が配置されているコーナーの壁面位置であっても、ユーザーが収納庫に正対して品物の出し入れを容易に且つ楽にでき、コーナーの壁面位置への取り付けが可能になる。
又本発明の場合は、上記のロック機構により昇降動作中はスライド動作が禁止されている。従ってこれによれば、使用者が過ってスライド動作をさせようと力を加えても、案内レール等を破損させる惧れがない。
【図面の簡単な説明】
【図１】本発明のキャビネットの好適な一実施形態を示す使用状態時の要部正面図である。
【図２】同上キャビネットの要部正面図である。
【図３】図２のIII―III線における要部断面図である。
【図４】図２のＩＶ―ＩＶ線における要部断面図である。
【図５】図２のＶ―Ｖ線における要部断面図である。
【図６】収納庫が斜め方向にスライドする場合を示す要部横断面図である。
【図７】収納庫が斜め方向にスライドする本発明品の要部正面図である。
【図８】収納庫が斜め方向にスライドする本発明品の収納庫の動作を説明するための要部正面図である。
【図９】図６のＩＸ―ＩＸ線における要部断面図である。
【図１０】収納庫がアクチュエーターで動作する場合の要部正面図である。
【図１１】図１０のＸＩ―ＸＩ線における要部断面図である。
【図１２】図１０の実施形態の動作を説明するための要部正面図である。
【符号の説明】
１    壁面
２    外筐体
３    収納庫
４    垂直自動昇降機構
４ｄ  昇降ベース部
９    角部
９ａ  側壁
【図１】
0004123790.tif 000002
【図２】
0004123790.tif 000003
【図３】
0004123790.tif 000004
【図４】
0004123790.tif 000005
【図５】
0004123790.tif 000006
【図６】
0004123790.tif 000007
【図７】
0004123790.tif 000008
【図８】
0004123790.tif 000009
【図９】
0004123790.tif 000010
【図１０】
0004123790.tif 000011
【図１１】
0004123790.tif 000012
【図１２】
0004123790.tif 000013